(57)【要約】【課題】既存の空調システムに大幅な変更を加えずに、当該既存の空調システムに組み込むことが可能な空調補助システムなどを提供する。【解決手段】補助制御装置１１０は、主空調システム２００の空調に関する空調情報を、主空調システム２００から取得する。補助制御装置１１０は、取得した空調情報に基づいて、補助装置１８０を操作するための操作情報を生成する。補助操作装置１２０は、補助制御装置１１０により生成された操作情報に基づいて、補助装置１８０を操作する。【選択図】図２
2011085322.tif 000002
【特許請求の範囲】
【請求項１】
複数の空調機を備える主空調システムと連動して、当該主空調システムによる空調を補助する空調補助システムであって、
前記主空調システムによる空調を補助する補助装置と、
前記補助装置に接続され、当該補助装置に対する操作情報に基づいて当該補助装置を操作する補助操作装置と、
前記補助操作装置に前記操作情報を供給して、前記補助装置を制御する補助制御装置と、を備え、
前記補助制御装置は、
前記複数の空調機の間で相互に通信されている空調情報を取得する空調情報取得手段と、
前記取得された空調情報に基づいて、前記操作情報を生成する操作情報生成手段と、を備える、
ことを特徴とする空調補助システム。
【請求項２】
前記主空調システムが備える複数の空調機は、伝送線を介して相互に接続され、
前記空調情報取得手段は、前記複数の空調機の間で相互に通信されている空調情報を、前記伝送線から取得する、
ことを特徴とする請求項１に記載の空調補助システム。
【請求項３】
前記主空調システムが備える複数の空調機のうちの少なくとも１つの空調機は、
前記主空調システムに関する空調情報を送信する空調情報送信手段、を備え、
前記空調情報取得手段は、前記空調情報送信手段から送信された空調情報を受信する、
ことを特徴とする請求項１に記載の空調補助システム。
【請求項４】
前記少なくとも１つの空調機は、前記主空調システムが備える複数の空調機を操作するリモートコントローラである、
ことを特徴とする請求項３に記載の空調補助システム。
【請求項５】
前記補助操作装置は、
リレー回路、電圧出力回路、電流出力回路、ならびに、ＰＷＭ出力回路のうちの、いずれか１つの出力回路から構成される出力回路を備え、当該出力回路を介して前記補助装置と接続される、
ことを特徴とする請求項１乃至４のいずれか１項に記載の空調補助システム。
【請求項６】
前記補助操作装置は、
リレー回路、電圧出力回路、電流出力回路、ならびに、ＰＷＭ出力回路のうちの、少なくとも２つの出力回路から構成される出力回路と、
前記少なくとも２つの出力回路から、前記補助装置との接続に使用する１つの出力回路を選択する出力切替手段と、を備える、
ことを特徴とする請求項１乃至４のいずれか１項に記載の空調補助システム。
【請求項７】
前記空調情報送信手段は、
空調情報を表す交流電流を発生する交流電流発生回路と、
前記発生した交流電流が流れる送信用コイルと、を備え、
前記空調情報取得手段は、
前記送信用コイルに前記交流電流が流れることにより発生した磁界の変化に従って交流電流が流れる受信用コイルと、
前記受信用コイルに流れた交流電流を空調情報に変換する交流電流変換回路と、
を備える、
ことを特徴とする請求項３に記載の空調補助システム。
【請求項８】
検知エリア内に存在する人を検知する人感センサをさらに備え、
前記操作情報生成手段は、前記受信された空調情報と、前記人感センサにより検出されたセンサ情報と、に基づいて、前記操作情報を生成する、
ことを特徴とする請求項１乃至７のいずれか１項に記載の空調補助システム。
【請求項９】
複数の空調機を備える主空調システムと、当該主空調システムと連動して、当該主空調システムによる空調を補助する空調補助システムと、を備える空調連動制御システムであって、
前記空調補助システムは、
前記主空調システムによる空調を補助する補助装置と、
前記補助装置に接続され、当該補助装置に対する操作情報に基づいて当該補助装置を操作する補助操作装置と、
前記補助操作装置に前記操作情報を供給して、前記補助装置を制御する補助制御装置と、を備え、
前記補助制御装置は、
前記複数の空調機の間で相互に通信されている空調情報を取得する空調情報取得手段と、
前記取得された空調情報に基づいて、前記操作情報を生成する操作情報生成手段と、を備える、
ことを特徴とする空調連動制御システム。
【発明の詳細な説明】
【技術分野】
【０００１】
本発明は、既存の空調システムに容易に組み込むことが可能な空調補助システム、ならびに、当該既存の空調システムに当該空調補助システムが組み込まれた空調連動制御システムに関する。
【背景技術】
【０００２】
室内機などの空調機と、センサもしくはダンパなどの空調補助装置と、が組み合わされて構成される空調システムが知られている。このような空調システムによれば、空調機自身の能力不足を補うこと、あるいは、空調機単独では実現できない高度な空調制御を実行することが可能となる。例えば、補助熱源としてのヒータと室内機とを同時に動作させることで、暖房能力の向上が期待できる。また、風向切替機能がない室内機の吹き出し口にダンパを後付けで設置し、当該ダンパをリモートコントローラで操作することにより風向制御が可能となる。さらに、人感センサにより人が検出された位置を空調機が集中的に冷房することにより、スポット空調が可能となる。また、人感センサにより人が検出されない場合に、空調機による部屋の空調を停止することにより、省エネ制御が可能となる。
【０００３】
特許文献１には、空調機と空調機以外の装置とを連動制御することにより、上述した空調システムを実現することが可能な設備連動システムが開示されている。この設備連動システムにおいては、空調機以外の装置は、電力線に接続された伝送変換装置を介して既存の空調システムに接続される。かかる構成によれば、空調機以外の装置を既存の空調システムに組み込む際に、新たに専用の伝送線を敷設する必要がない。
【先行技術文献】
【特許文献】
【０００４】
【特許文献１】特開２００６−２３４３６７号公報
【発明の概要】
【発明が解決しようとする課題】
【０００５】
しかしながら、特許文献１に開示された手法により、既存の空調システムにあらたに空調機以外の装置を追加する場合、空調機や空調機以外の装置を接続する伝送線のトラフィックが高くなり、レスポンスの遅延等が発生していた。このため、既存の空調システムにあらたに空調機以外の装置を追加する場合、システムの設計と評価を再度実施する必要があり、膨大なコストがかかっていた。従って、既存の空調システムに大きな変更を加えずに、空調補助装置を追加することが可能な技術が望まれている。
【０００６】
本発明は、上記問題に鑑みてなされたものであり、既存の空調システムに大幅な変更を加えずに組み込むことが可能な空調補助システム、ならびに、当該既存の空調システムに当該空調補助システムが組み込まれた空調連動制御システムを提供することを目的とする。
【課題を解決するための手段】
【０００７】
上記目的を達成するために、本発明に係る空調補助システムは、
複数の空調機を備える主空調システムと連動して、当該主空調システムによる空調を補助する空調補助システムであって、
前記主空調システムによる空調を補助する補助装置と、
前記補助装置に接続され、当該補助装置に対する操作情報に基づいて当該補助装置を操作する補助操作装置と、
前記補助操作装置に前記操作情報を供給して、前記補助装置を制御する補助制御装置と、を備え、
前記補助制御装置は、
前記複数の空調機の間で相互に通信されている空調情報を取得する空調情報取得手段と、
前記取得された空調情報に基づいて、前記操作情報を生成する操作情報生成手段と、を備える、
ことを特徴とする。
【発明の効果】
【０００８】
本発明によれば、既存の空調システムに大幅な変更を加えずに、当該既存の空調システムに空調補助装置を組み込むことができる。
【図面の簡単な説明】
【０００９】
【図１】本発明の第１の実施形態に係る空調連動制御システムの構成要素の配置を説明するための図である。
【図２】本発明の第１の実施形態に係る空調補助システムの基本的な機能を説明するためのブロック図である。
【図３】本発明の第１の実施形態に係る空調補助システムが備える補助制御装置の構成を示すブロック図である。
【図４】本発明の第１の実施形態に係る空調補助システムが備える補助操作装置の構成を示すブロック図である。
【図５】本発明の第２の実施形態に係る空調連動制御システムの構成要素の配置を説明するための図である。
【図６】本発明の第２の実施形態に係る主空調システムが備えるリモートコントローラの構成を示すブロック図である。
【図７】本発明の第２の実施形態に係る空調補助システムが備える補助制御装置の構成を示すブロック図である。
【図８】リモートコントローラと補助制御装置とが通信する手法を説明するための図である。
【発明を実施するための形態】
【００１０】
以下、本発明の実施形態を、図面を参照して説明する。
【００１１】
（第１の実施形態）
図１に示すように、本発明の第１の実施形態に係る空調連動制御システム１０００は、一般家屋にあらかじめ設置されている空調システムである主空調システム２００と、主空調システム２００による空調を補助するために追加されたシステムである空調補助システム１００と、から構成される。
【００１２】
主空調システム２００は、室外機２１０と、室内機２２０と、室内機２３０と、リモートコントローラ２４０と、冷媒配管２５０と、伝送線２６０と、を備える。
【００１３】
室外機２１０は、家屋の外に設置され、空調機が実行する処理のうち、冷媒の冷却処理など、実行する際に騒音や振動が大きい処理を実現する機械である。室外機２１０は、冷媒循環用の冷媒配管２５０により、室内機２２０ならびに室内機２３０と接続される。また、室外機２１０は、制御用の伝送線２６０により、室内機２２０ならびに室内機２３０と接続される。
【００１４】
室内機２２０は、家屋の内部に設置され、空調機が実行する処理のうち、送風処理など、家屋内でなければ実行できない処理を実現する機械である。室内機２２０は、冷媒配管２５０ならびに伝送線２６０により、室外機２１０と接続される。
【００１５】
室内機２３０は、室内機２２０と同様の構成、機能を有する。室内機２３０は、家屋の内部に設置され、冷媒配管２５０ならびに伝送線２６０により、室外機２１０と接続される。本実施形態においては、室内機２２０と室内機２３０とは、相互に異なる部屋に設置されるものとして説明する。
【００１６】
リモートコントローラ２４０は、ユーザから受け付けた操作に従って、室外機２１０、室内機２２０ならびに室内機２３０を制御するための制御信号を生成する。そして、リモートコントローラ２４０は、生成した制御信号を、伝送線２６０を介して、室外機２１０、室内機２２０ならびに室内機２３０に送信する。リモートコントローラ２４０は、伝送線２６０により、室外機２１０、室内機２２０ならびに室内機２３０と接続される。
【００１７】
冷媒配管２５０は、冷媒を、室外機２１０と室内機２２０と室内機２３０との間で循環させるための配管である。冷媒配管２５０は、室外機２１０と室内機２２０と室内機２３０とを相互に接続する。
【００１８】
伝送線２６０は、室外機２１０と室内機２２０と室内機２３０とリモートコントローラ２４０との間で、相互に制御信号などが送受信される信号線である。なお、制御信号は、空調情報を含む。例えば、リモートコントローラ２４０から室内機２２０に送信される制御信号には、室内機２２０が設置された部屋の目標温度や室内機２２０の運転モード（冷房、ドライ、暖房、運転停止など）を表す空調情報が含まれる。また、例えば、室内機２２０から送信される制御信号には、室内機２２０が設置された部屋の測定温度を表す空調情報が含まれる。以下、伝送線２６０を介して相互に送受信される制御信号に含まれる空調情報のことを、適宜、伝送線２６０を介して相互に送受信される空調情報という。
【００１９】
図１に示すように、空調補助システム１００は、補助制御装置１１０と、補助操作装置１２０と、ヒータ１３０と、ダンパ１４０と、ダンパ１５０と、人感センサ１６０と、人感センサ１７０と、を備える。なお、ヒータ１３０と、ダンパ１４０と、ダンパ１５０と、人感センサ１６０と、人感センサ１７０と、を総称して、適宜、補助装置１８０という。
【００２０】
補助制御装置１１０は、伝送線２６０を介して主空調システム２００から取得した空調情報、伝送線１６０１を介して人感センサ１６０から取得したセンサ情報、ならびに、伝送線１７０１を介して人感センサ１７０から取得したセンサ情報、に基づいて、補助装置１８０を制御するための操作情報を生成する。補助制御装置１１０は、生成した操作情報を伝送線１２０１を介して補助操作装置１２０に送信する。補助制御装置１１０の構成ならびに動作の詳細については、後述する。
【００２１】
補助操作装置１２０は、伝送線１２０１を介して補助制御装置１１０から取得した操作情報に基づいて、ヒータ１３０、ダンパ１４０ならびにダンパ１５０のそれぞれを操作する。なお、補助操作装置１２０は、伝送線１２３８を介してヒータ１３０を操作し、伝送線１２４８を介してダンパ１４０を操作し、伝送線１２５８を介してダンパ１５０を操作する。補助操作装置１２０の構成ならびに動作の詳細については、後述する。
【００２２】
ヒータ１３０は、補助操作装置１２０からの指示に従って、ヒータ１３０が設置されている部屋を暖房する。補助操作装置１２０からの指示は、典型的には、暖房のオン／オフを切り替える指示であり、リレー出力もしくは接点出力による指示である。なお、本実施形態においては、ヒータ１３０は、室内機２２０と同じ部屋に設置されている。従って、ヒータ１３０は、室内機２２０による暖房処理を補助する。ヒータ１３０としては、電気を熱源としたもの、ガスなどの燃料を熱源としたものなど、あらゆるヒータを採用することができる。
【００２３】
ダンパ１４０は、補助操作装置１２０からの指示に従って、室内機２２０が備える空調ダクトから排出される風の向きを切り替える。補助操作装置１２０からの指示は、典型的には、風向を表す０〜１０Ｖの電圧値による指示である。
【００２４】
ダンパ１５０は、補助操作装置１２０からの指示に従って、室内機２３０が備える空調ダクトから排出される風の向きを切り替える。補助操作装置１２０からの指示は、典型的には、風向を表す０〜１０Ｖの範囲の電圧値による指示である。
【００２５】
人感センサ１６０は、人感センサ１６０が配置された部屋のうちの、人感センサ１６０の検知エリアにいる人を検知する。人感センサ１６０は、所定の周期で、当該検知エリアに人がいるかいないかを表すセンサ情報を、伝送線１６０１を介して補助制御装置１１０に送信する。
【００２６】
人感センサ１７０は、人感センサ１７０が配置された部屋のうちの、人感センサ１７０の検知エリアにいる人を検知する。人感センサ１７０は、所定の周期で、当該検知エリアに人がいるかいないかを表すセンサ情報を、伝送線１７０１を介して補助制御装置１１０に送信する。なお、人感センサ１６０と人感センサ１７０とは、同じ部屋に設置されるが、検知エリアが異なるものとする。
【００２７】
次に、図２を参照して、空調補助システム１００の基本的な機能を説明する。
【００２８】
空調補助システム１００は、その基本的な機能を実現するための構成として、補助制御装置１１０と、補助操作装置１２０と、補助装置１８０と、を備える。
【００２９】
補助制御装置１１０は、主空調システム２００から取得した空調情報に基づいて、操作情報を生成する。補助制御装置１１０は、生成した操作情報を補助操作装置１２０に供給する。
【００３０】
補助操作装置１２０は、補助制御装置１１０から供給された操作情報に基づいて、所定の補助装置１８０を操作する。
【００３１】
補助装置１８０は、補助操作装置１２０による操作に従って、対応する処理を実行する。本実施形態においては、補助操作装置１２０によって操作される補助装置１８０は、ヒータ１３０とダンパ１４０とダンパ１５０とである。
【００３２】
このように、空調補助システム１００は、主空調システム２００から取得した空調情報に基づいて補助装置１８０を適宜動作させることにより、主空調システム２００の空調を補助する。
【００３３】
次に、図３を参照して、補助制御装置１１０について詳細に説明する。
【００３４】
補助制御装置１１０は、空調情報取得部１１１と、センサ情報取得部１１２と、連動情報記憶部１１３と、制御方式取得部１１４と、操作情報生成部１１５と、操作情報送信部１１６と、を備える。
【００３５】
空調情報取得部１１１は、伝送線２６０上で相互に送受信されている空調情報を取得する。具体的には、空調情報取得部１１１は、伝送線２６０を介してなされる通信の通信プロトコルに従って、伝送線２６０上の空調情報をモニタリングする。空調情報取得部１１１は、例えば、通信ＩＣ（Ｉｎｔｅｇｒａｔｅｄ  Ｃｉｒｃｕｉｔ）により構成することができる。
【００３６】
センサ情報取得部１１２は、伝送線１６０１を介して人感センサ１６０から供給されるセンサ情報を取得し、伝送線１７０１を介して人感センサ１７０から供給されるセンサ情報を取得する。センサ情報取得部１１２は、例えば、通信ＩＣ（Ｉｎｔｅｇｒａｔｅｄ  Ｃｉｒｃｕｉｔ）により構成することができる。
【００３７】
連動情報記憶部１１３は、補助装置１８０を、室内機２２０や室内機２３０と連動させて制御するための制御内容を表す連動情報を記憶する。連動情報は、補助装置１８０毎に用意される。つまり、連動情報記憶部１１３には、ヒータ１３０用の連動情報と、ダンパ１４０用の連動情報と、ダンパ１５０用の連動情報と、が記憶される。連動情報記憶部１１３は、例えば、フラッシュメモリにより構成することができる。
【００３８】
連動情報は、空調情報やセンサ情報が所定の条件を満たしたときに、各補助装置１８０をどのような設定値で操作するかを表す操作情報を、ＩＦ−ＴＨＥＮ形式で表す情報である。ここでは、ヒータ１３０と、ダンパ１４０と、人感センサ１６０と、人感センサ１７０と、室内機２２０と、が設置された部屋を冷房する際に、人がいない方向に向けて冷却された風を送風するという連動制御を行う場合について説明する。この場合、例えば、ダンパ１４０に関する連動情報は、「ＩＦ（室内機２２０の運転モードが冷却運転  ａｎｄ  人感センサ１６０が人を未検出  ａｎｄ  人感センサ１７０が人を検出）  ＴＨＥＮ（ダンパ１４０に対する操作情報は、室内機２２０の風向を内壁に向かって斜めにする）」という条件式を含む。
【００３９】
ここで、制御方式が０〜１０Ｖの電圧制御であり、設定値が０Ｖで室内機２２０の風向が外壁に向かってほぼ水平方向、設定値が５Ｖで室内機２２０の風向が下方向、設定値が１０Ｖで室内機２２０の風向が内壁に向かってほぼ水平方向、であるものとする。このとき、補助操作装置１２０に供給される操作情報のうち、ダンパ１４０に関する操作情報は、制御方式が電圧制御であり、設定値が８Ｖであることを表す情報となる。
【００４０】
制御方式取得部１１４は、ユーザや外部の装置から、各補助装置１８０の制御方式を表す制御方式情報を取得する。制御方式は、例えば、電圧制御、電流制御、接点制御、ＰＷＭ制御などがある。制御方式取得部１１４は、例えば、タッチパネルにより構成することができる。
【００４１】
操作情報生成部１１５は、空調情報取得部１１１により取得された空調情報、センサ情報取得部１１２により取得されたセンサ情報、連動情報記憶部１１３に記憶されている連動情報、ならびに、制御方式取得部１１４により取得された制御方式情報に基づいて、操作情報を生成する。操作情報は、補助装置１８０を操作するために補助操作装置１２０に送信する情報である。
【００４２】
操作情報は、ヒータ１３０に関する操作情報と、ダンパ１４０に関する操作情報と、ダンパ１５０に関する操作情報と、を含む。
ヒータ１３０に関する操作情報は、ヒータ１３０の制御方式情報と、ヒータ１３０に設定する設定値を表す情報と、を含む。
ダンパ１４０に関する操作情報は、ダンパ１４０の制御方式情報と、ダンパ１４０に設定する設定値を表す情報と、を含む。
ダンパ１５０に関する操作情報は、ダンパ１５０の制御方式情報と、ダンパ１５０に設定する設定値を表す情報と、を含む。
なお、操作情報生成部１１５は、例えば、ＣＰＵ（Ｃｅｎｔｒａｌ  Ｐｒｏｃｅｓｓｉｎｇ  Ｕｎｉｔ）と、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）と、から構成される。
【００４３】
操作情報送信部１１６は、操作情報生成部１１５により生成された操作情報を、補助操作装置１２０に送信する。操作情報送信部１１６は、例えば、通信ＩＣにより構成される。
【００４４】
次に、図４を参照して、補助操作装置１２０について詳細に説明する。
【００４５】
補助操作装置１２０は、操作情報受信部１２１と、操作情報分離部１２２と、出力回路１２３と、出力回路１２４と、出力回路１２５と、を備える。
【００４６】
操作情報受信部１２１は、補助制御装置１１０から送信された操作情報を受信する。操作情報受信部１２１は、例えば、通信ＩＣにより構成される。
【００４７】
操作情報分離部１２２は、操作情報受信部１２１により受信された操作情報を分離する。具体的には、操作情報分離部１２２は、操作情報を、ヒータ１３０に関する操作情報と、ダンパ１４０に関する操作情報と、ダンパ１５０に関する操作情報と、に分離する。さらに、操作情報分離部１２２は、ヒータ１３０に関する操作情報を、ヒータ１３０の制御方式情報と、ヒータ１３０に設定する設定値を表す情報と、に分離する。また、操作情報分離部１２２は、ダンパ１４０に関する操作情報を、ダンパ１４０の制御方式情報と、ダンパ１４０に設定する設定値を表す情報と、に分離する。そして、操作情報分離部１２２は、ダンパ１５０に関する操作情報を、ダンパ１５０の制御方式情報と、ダンパ１５０に設定する設定値を表す情報と、に分離する。
なお、操作情報分離部１２２は、例えば、ＣＰＵ（Ｃｅｎｔｒａｌ  Ｐｒｏｃｅｓｓｉｎｇ  Ｕｎｉｔ）と、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）と、から構成される。
【００４８】
ここで、操作情報分離部１２２は、伝送線１２３５に、ヒータ１３０に設定する設定値を表す情報により表されるヒータ１３０の設定値に応じた電圧値（例えば、０〜５Ｖ）を印加する。
同様に、操作情報分離部１２２は、伝送線１２４５に、ダンパ１４０に設定する設定値を表す情報により表されるダンパ１４０の設定値に応じた電圧値（例えば、０〜５Ｖ）を印加する。
さらに、操作情報分離部１２２は、伝送線１２５５に、ダンパ１５０に設定する設定値を表す情報により表されるダンパ１５０の設定値に応じた電圧値（例えば、０〜５Ｖ）を印加する。
【００４９】
また、操作情報分離部１２２は、伝送線１２３６ａ、１２３６ｂ、１２３６ｃのそれぞれに、ヒータ１３０の制御方式情報により表されるヒータ１３０の制御方式に応じたそれぞれの電圧値を印加する。例えば、ヒータ１３０の制御方式がリレー制御である場合は、伝送線１２３６ａにはＬレベルの電圧（例えば、０Ｖ）が印加され、伝送線１２３６ｂ、１２３６ｃにはＨレベルの電圧（例えば、５Ｖ）が印加される。そして、ヒータ１３０の制御方式が電圧制御である場合は、伝送線１２３６ｂにはＬレベルの電圧（例えば、０Ｖ）が印加され、伝送線１２３６ａ、１２３６ｃにはＨレベルの電圧（例えば、５Ｖ）が印加される。また、ヒータ１３０の制御方式が電流制御である場合は、伝送線１２３６ｃにはＬレベルの電圧（例えば、０Ｖ）が印加され、伝送線１２３６ａ、１２３６ｂにはＨレベルの電圧（例えば、５Ｖ）が印加される。
【００５０】
同様に、操作情報分離部１２２は、伝送線１２４６ａ、１２４６ｂ、１２４６ｃのそれぞれに、ダンパ１４０の制御方式情報により表されるダンパ１４０の制御方式に応じたそれぞれの電圧値を印加する。
さらに、操作情報分離部１２２は、伝送線１２５６ａ、１２５６ｂ、１２５６ｃのそれぞれに、ダンパ１５０の制御方式情報により表されるダンパ１５０の制御方式に応じたそれぞれの電圧値を印加する。
【００５１】
出力回路１２３は、操作情報分離部１２２から供給された情報に基づいて、ヒータ１３０を操作する回路（端子）である。出力回路１２３は、リレー出力回路１２３１と、電圧出力回路１２３２と、電流出力回路１２３３と、出力切替部１２３４と、を備える。
【００５２】
なお、リレー出力回路１２３１は、伝送線１２３５により、操作情報分離部１２２と相互に接続される。また、リレー出力回路１２３１は、伝送線１２３６ａにより、操作情報分離部１２２と相互に接続される。また、リレー出力回路１２３１は、伝送線１２３７ａにより、出力切替部１２３４と相互に接続される。
【００５３】
また、電圧出力回路１２３２は、伝送線１２３５により、操作情報分離部１２２と相互に接続される。また、電圧出力回路１２３２は、伝送線１２３６ｂにより、操作情報分離部１２２と相互に接続される。また、電圧出力回路１２３２は、伝送線１２３７ｂにより、出力切替部１２３４と相互に接続される。
【００５４】
そして、電流出力回路１２３３は、伝送線１２３５により、操作情報分離部１２２と相互に接続される。また、電流出力回路１２３３は、伝送線１２３６ｃにより、操作情報分離部１２２と相互に接続される。また、電流出力回路１２３３は、伝送線１２３７ｃにより、出力切替部１２３４と相互に接続される。
【００５５】
さらに、出力切替部１２３４は、伝送線１２３８により、ヒータ１３０と相互に接続される。
【００５６】
リレー出力回路１２３１は、伝送線１２３５に印加された電圧値に応じたリレー出力を生成し、生成したリレー出力を、伝送線１２３７ａを介して、出力切替部１２３４に出力する。ここで、リレー出力回路１２３１は、伝送線１２３６ａに印加されている電圧値がＬレベルである場合は、動作しない。なお、リレー出力は、例えば、外部に設けられたスイッチ（例えば、ヒータ１３０を駆動する電源のスイッチ）をオン／オフすることが可能な出力（オープン／クローズ）である。
【００５７】
電圧出力回路１２３２は、伝送線１２３５に印加された電圧値に応じた電圧を生成し、生成した電圧を、伝送線１２３７ｂを介して、出力切替部１２３４に出力する。ここで、電圧出力回路１２３２は、伝送線１２３６ｂに印加されている電圧値がＬレベルである場合は、動作しない。なお、出力される電圧は、例えば、０〜１０Ｖの電圧である。
【００５８】
電流出力回路１２３３は、伝送線１２３５に印加された電圧値に応じた電流を生成し、生成した電流を、伝送線１２３７ｃを介して、出力切替部１２３４に出力する。ここで、電流出力回路１２３３は、伝送線１２３６ｃに印加されている電圧値がＬレベルである場合は、動作しない。なお、出力される電流は、例えば、０〜２０ｍＡの範囲の電流である。
【００５９】
出力切替部１２３４は、ヒータ１３０と接続する出力回路を、リレー出力回路１２３１と電圧出力回路１２３２と電流出力回路１２３３との間で切り替える。具体的には出力切替部１２３４は、伝送線１２３６ａに印加された電圧がＬレベルを表す電圧である場合に、ヒータ１３０とリレー出力回路１２３１とを接続、すなわち、伝送線１２３７ａと伝送線１２３８とを接続する。そして、出力切替部１２３４は、伝送線１２３６ｂに印加された電圧がＬレベルを表す電圧である場合に、ヒータ１３０と電圧出力回路１２３２とを接続、すなわち、伝送線１２３７ｂと伝送線１２３８とを接続する。さらに、出力切替部１２３４は、伝送線１２３６ｃに印加された電圧がＬレベルを表す電圧である場合に、ヒータ１３０と電流出力回路１２３３とを接続、すなわち、伝送線１２３７ｃと伝送線１２３８とを接続する。出力切替部１２３４は、例えば、機械式のリレー、アナログスイッチなどにより構成される。
【００６０】
出力回路１２４は、操作情報分離部１２２から供給された情報に基づいて、ダンパ１４０を操作する回路（端子）である。出力回路１２４は、伝送線１２４５と伝送線１２４６ａと伝送線１２４６ｂと伝送線１２４６ｃとにより、操作情報分離部１２２と相互に接続される。また、出力回路１２４は、伝送線１２４８により、ダンパ１４０と相互に接続される。なお、出力回路１２４は、出力回路１２３と同様の構成であるため詳細な説明を省略する。
【００６１】
出力回路１２５は、操作情報分離部１２２から供給された情報に基づいて、ダンパ１５０を操作する回路（端子）である。出力回路１２５は、伝送線１２５５と伝送線１２５６ａと伝送線１２５６ｂと伝送線１２５６ｃとにより、操作情報分離部１２２と相互に接続される。また、出力回路１２５は、伝送線１２５８により、ダンパ１５０と相互に接続される。なお、出力回路１２５は、出力回路１２３と同様の構成であるため詳細な説明を省略する。
【００６２】
本実施形態に係る空調連動制御システム１０００によれば、空調補助システム１００に関する制御情報と、主空調システム２００に関する制御情報とは、それぞれ独立したネットワーク上で通信されることになる。このため、主空調システム２００に空調補助システム１００を追加することにより、主空調システム２００に与える影響を抑制することが可能となる。つまり、主空調システム２００のシステム設計や評価を再度実施することなく、主空調システム２００に空調補助システム１００を追加することができる。
【００６３】
また、本実施形態においては、補助制御装置１１０が、補助装置１８０を、補助操作装置１２０を介して操作する。このため、主空調システム２００が備える空調機に変更を加えることなく、当該空調機と補助装置１８０とを連動制御することが可能となる。
【００６４】
また、本実施形態においては、出力回路１２３において、補助装置１８０と接続する出力回路を、補助装置１８０の制御方式に基づいて、切り替えている。このため、補助操作装置１２０は、異なる制御方式の補助装置１８０を、同一の伝送線を用いて操作することが可能となる。
【００６５】
（第２の実施形態）
第１の実施形態においては、補助制御装置１１０が、主空調システム２００を構成する空調機を相互に接続する伝送線２６０から、主空調システム２００に関する空調情報を取得する例を示した。しかし、補助制御装置１１０は、主空調システム２００を構成する所定の空調機から、主空調システム２００に関する空調情報を取得してもよい。以下、補助制御装置１１０が、リモートコントローラ２４０から空調情報を取得する例について説明する。なお、第１の実施形態と同様の構成については、説明を簡略化または省略する。
【００６６】
図５に示すように、本発明の第２の実施形態に係る空調連動制御システム１００１は、一般家屋にあらかじめ設置されている空調システムである主空調システム２０１と、主空調システム２０１による空調を補助するために追加されたシステムである空調補助システム１０１と、から構成される。
【００６７】
主空調システム２０１は、室外機２１０と、室内機２２０と、室内機２３０と、リモートコントローラ２９０と、冷媒配管２５０と、伝送線２６０と、を備える。
【００６８】
リモートコントローラ２９０は、ユーザから受け付けた操作に従って、室外機２１０、室内機２２０ならびに室内機２３０を制御するための制御信号を生成する。そして、リモートコントローラ２９０は、生成した制御信号を、伝送線２６０を介して、室外機２１０、室内機２２０ならびに室内機２３０に送信する。リモートコントローラ２９０は、伝送線２６０により、室外機２１０、室内機２２０ならびに室内機２３０と接続される。また、リモートコントローラ２９０は、室外機２１０と室内機２２０と室内機２３０とリモートコントローラ２９０との間で送受信される空調情報を、伝送線２６０から取得する。そして、リモートコントローラ２９０は、取得した空調情報を、補助制御装置１９０に送信する。
【００６９】
図６に示すように、リモートコントローラ２９０は、空調情報取得部２９１と、空調情報送信部２９２と、を備える。なお、図６には、空調情報を伝送線２６０に送信する構成、空調操作をユーザから受け付ける構成、ならびに、空調情報をユーザに提示する構成など、は図示していない。
【００７０】
空調情報取得部２９１は、伝送線２６０上で相互に送受信されている空調情報を取得する。具体的には、空調情報取得部２９１は、伝送線２６０を介してなされる通信の通信プロトコルに従って、伝送線２６０上の空調情報をモニタリングする。空調情報取得部２９１は、例えば、通信ＩＣ（Ｉｎｔｅｇｒａｔｅｄ  Ｃｉｒｃｕｉｔ）により構成することができる。
【００７１】
空調情報送信部２９２は、空調情報取得部２９１により取得された空調情報を、補助制御装置１９０に送信する。空調情報送信部２９２の具体的な構成は後述する。
【００７２】
また、空調補助システム１０１は、その基本的な機能を実現するための構成として、補助制御装置１９０と、補助操作装置１２０と、補助装置１８０と、を備える。
【００７３】
補助制御装置１９０は、主空調システム２０１から取得した空調情報に基づいて、操作情報を生成する。補助制御装置１９０は、生成した操作情報を補助操作装置１２０に供給する。
【００７４】
図７に示すように、補助制御装置１９０は、空調情報受信部１１７と、センサ情報取得部１１２と、連動情報記憶部１１３と、制御方式取得部１１４と、操作情報生成部１１５と、操作情報送信部１１６と、を備える。
【００７５】
空調情報受信部１１７は、リモートコントローラ２９０から送信された空調情報を受信する。
【００７６】
ここで、図８を参照して、空調情報送信部２９２と空調情報受信部１１７との間で、空調情報を電磁誘導によりシリアル通信する手法について説明する。
【００７７】
空調情報送信部２９２は、交流電流発生回路２９３と、コイル２９４と、を備える。また、空調情報受信部１１７は、コイル１９１と、交流電流変換回路１９２と、を備える。ここで、コイル２９４とコイル１９１との距離が数ｃｍである場合に、空調情報のシリアル通信が可能となる。
【００７８】
交流電流発生回路２９３は、空調情報取得部２９１により取得された空調情報に基づいて、交流電流を発生する。つまり、交流電流発生回路２９３は、空調情報を、交流電流の電圧、周波数などにより表される信号に信号化する。
【００７９】
コイル２９４は、交流電流発生回路２９３が発生した交流電流を流す。なお、コイル２９４に交流電流が流れることにより、コイル２９４の周辺の磁界が変化する。
【００８０】
一方、コイル１９１には、コイル２９４に交流電流が流れることにより発生した磁界の変化によって、起電力が発生し、交流電流が流れる。
【００８１】
交流電流変換回路１９２は、コイル１９１に流れる交流電流に基づいて、空調情報を生成する。つまり、交流電流変換回路１９２は、交流電流の電圧、周波数などにより表される信号を、空調情報に変換する。交流電流変換回路１９２は、生成した空調情報を操作情報生成部１１５に供給する。
【００８２】
本実施形態に係る空調連動制御システム１００１によれば、空調補助システム１０１に関する制御情報と、主空調システム２０１に関する制御情報とは、それぞれ独立したネットワーク上で通信されることになる。このため、主空調システム２０１に空調補助システム１０１を追加することにより、主空調システム２０１に与える影響を抑制することが可能となる。つまり、主空調システム２０１のシステム設計や評価を再度実施することなく、主空調システム２０１に空調補助システム１０１を追加することができる。
【００８３】
また、本実施形態に係る空調連動制御システム１００１によれば、補助制御装置１９０は、主空調システム２０１に関する空調情報を比較的容易に取得することができる。これは、補助制御装置１９０は、主空調システム２０１に関する空調情報を伝送線２６０から取得する機能を備えていることが一般的であるリモートコントローラ２９０から空調情報を受信するためである。この場合において、リモートコントローラ２９０には、交流電流発生回路２９３とコイル２９４といった、比較的安価で簡単な構成を組み込むだけでよい。
【００８４】
以上、本発明の実施形態を説明したが、本発明を実施するにあたっては、種々の形態による変形及び応用が可能であり、上記実施形態に限られるものではない。
【００８５】
第１、２の実施形態においては、空調情報取得部１１１により取得された空調情報やセンサ情報取得部１１２により取得されたセンサ情報が、操作情報生成部１１５に直接供給される例を示した。しかし、空調情報やセンサ情報は、フラッシュメモリなどの所定の記憶部に蓄積されるように構成し、操作情報生成部１１５が適宜、記憶部に蓄積された空調情報やセンサ情報を読み出すように構成してよい。つまり、操作情報生成部１１５が、過去に蓄積された情報を総合的に判断して操作情報を生成することで、安定した制御が可能となる。
【００８６】
第１の実施形態においては、補助制御装置１１０が、伝送線２６０から空調情報を取得する例を示した。しかし、補助制御装置１１０は、伝送線２６０から空調情報を取得するとともに、主空調システム２００が備える空調機を制御する信号を、伝送線２６０を介して空調機に送信してもよい。これにより、主空調システム２０１が備える空調機を制御することが可能となる。
【００８７】
また、第２の実施形態においては、補助制御装置１９０が、リモートコントローラ２９０から空調情報を取得する例を示した。しかし、補助制御装置１９０は、リモートコントローラ２９０から空調情報を取得するとともに、主空調システム２０１が備える空調機を制御する信号を、リモートコントローラ２９０を介して空調機に送信してもよい。これにより、主空調システム２０１が備える空調機を制御することが可能となる。
【００８８】
第１の実施形態においては、出力切替部１２３４に供給される、出力回路を切り替えるために使用される信号が、リレー出力回路１２３１、電圧出力回路１２３２ならびに電流出力回路１２３３にも供給される例を示した。しかし、これらの信号は、必ずしもリレー出力回路１２３１、電圧出力回路１２３２ならびに電流出力回路１２３３に供給されなくてもよい。この場合であっても、選択された出力回路からの出力のみがヒータ１３０に供給される。ただし、第１の実施形態で示した構成によれば、消費電力が低減されることが期待できる。
【００８９】
第１の実施形態においては、出力回路１２３が、リレー出力回路１２３１、電圧出力回路１２３２ならびに電流出力回路１２３３を備える例を示した。しかし、出力回路１２３は、ＰＷＭ信号を出力するＰＷＭ出力回路を備えていても良い。
【００９０】
第１、２の実施形態において、有線通信により送受信されていた情報は、無線通信により送受信されてもよい。また、第１、２の実施形態において、無線通信により送受信されていた情報は、有線通信により送受信されてもよい。
【産業上の利用可能性】
【００９１】
本発明は、既存の空調システムに大幅な変更を加えずに、当該既存の空調システムに新たに補助空調システムを組み込んで制御するシステムに適用可能である。
【符号の説明】
【００９２】
１００、１０１  空調補助システム
１１０、１９０  補助制御装置
１１１  空調情報取得部
１１２  センサ情報取得部
１１３  連動情報記憶部
１１４  制御方式取得部
１１５  操作情報生成部
１１６  操作情報送信部
１１７  空調情報受信部
１２０  補助操作装置
１２１  操作情報受信部
１２２  操作情報分離部
１２３、１２４、１２５  出力回路
１３０  ヒータ
１４０、１５０  ダンパ
１６０、１７０  人感センサ
１８０  補助装置
１９１、２９４  コイル
１９２  交流電流変換回路
２００、２０１  主空調システム
２１０  室外機
２２０、２３０  室内機
２４０、２９０  リモートコントローラ
２５０  冷媒配管
２６０、１２０１、１２３５、１２３６ａ、１２３６ｂ、１２３６ｃ、１２３７ａ、１２３７ｂ、１２３７ｃ、１２３８、１２４５、１２４６ａ、１２４６ｂ、１２４６ｃ、１２４８、１２５５、１２５６ａ、１２５６ｂ、１２５６ｃ、１２５８、１６０１、１７０１  伝送線
２９１  空調情報取得部
２９２  空調情報送信部
２９３  交流電流発生回路
１０００、１００１  空調連動制御システム
１２３１  リレー出力回路
１２３２  電圧出力回路
１２３３  電流出力回路
１２３４  出力切替部
【図１】
2011085322.tif 000003
【図２】
2011085322.tif 000004
【図３】
2011085322.tif 000005
【図４】
2011085322.tif 000006
【図５】
2011085322.tif 000007
【図６】
2011085322.tif 000008
【図７】
2011085322.tif 000009
【図８】
2011085322.tif 000010